(57)【要約】【課題】照明ランプの交換時などにおける利便性が向上する照明ランプ及びそれを備えた照明装置を提供することを目的としている。【解決手段】筒状の筐体と、筐体の一端側に接続される口金部と、筐体の他端側に設けられる光源と、筐体に収容され、口金部を経由して供給される商用電力を光源の駆動に利用される駆動電力に変換して光源に供給する点灯回路と、筐体の外側に設けられ、筐体の外周面積よりも面積が小さい握持部材と、を備えたものである。【選択図】図１
2015015170.tif 000002
【特許請求の範囲】
【請求項１】
筒状の筐体と、
前記筐体の一端側に接続される口金部と、
前記筐体の他端側に設けられる光源と、
前記筐体に収容され、前記口金部を経由して供給される商用電力を前記光源の駆動に利用される駆動電力に変換して前記光源に供給する点灯回路と、
前記筐体の外側に設けられ、前記筐体の外周面積よりも面積が小さい握持部材と、
を備えた
ことを特徴とする照明ランプ。
【請求項２】
前記握持部材は、
起毛した繊維が形成されている
ことを特徴とする請求項１に記載の照明ランプ。
【請求項３】
前記筐体は、
外周面から突出している複数のフィン部を有し、
前記フィン部は、
前記筐体の前記一端側から前記他端側にかけて形成され、
前記握持部材は、
少なくとも前記フィン部の外側面に設けられている
ことを特徴とする請求項１又は２に記載の照明ランプ。
【請求項４】
前記筐体は、
一端側が前記口金部に接続され、樹脂で構成された第１の筐体と、
一端側が前記第１の筐体の他端側に接続され、他端側に前記光源が設けられ、金属で構成された第２の筐体とを有し、
前記第１の筐体は、
外周面から突出している複数の第１のフィン部が形成され、
前記第２の筐体は、
外周面から突出している複数の第２のフィン部が形成されている
ことを特徴とする請求項３に記載の照明ランプ。
【請求項５】
前記第２のフィン部よりも前記第１のフィン部の方が、前記筐体の径の中心からの距離が大きくなるように突出形成されている
ことを特徴とする請求項４に記載の照明ランプ。
【請求項６】
前記第１のフィン部及び前記第２のフィン部のうちの少なくとも一方に前記握持部材が設けられている
ことを特徴とする請求項４又は５に記載の照明ランプ。
【請求項７】
前記筐体には、
前記第１のフィン部及び前記第２のフィン部が、前記筐体の外側面の周方向に交互に設けられている
ことを特徴とする請求項４〜６のいずれか一項に記載の照明ランプ。
【請求項８】
前記光源は、ＬＥＤ、レーザーダイオード、有機ＥＬである
ことを特徴とする請求項１〜７のいずれか一項に記載の照明ランプ。
【請求項９】
請求項１〜８のいずれか一項に記載の照明ランプを備えた
ことを特徴とする照明装置。
【発明の詳細な説明】
【技術分野】
【０００１】
本発明は、照明ランプ及びそれを備えた照明装置に関するものである。
【背景技術】
【０００２】
照明ランプは、たとえばＬＥＤなどの光源、光源を駆動するのに利用される点灯回路、及び、光源及び点灯回路などを収容する筐体などを有しているものである。この照明ランプが発光すると、光源及び点灯回路から発生する熱によって筐体の温度が上昇する。たとえば、ユーザーは、照明ランプの所定使用期間が満了した時点あるいは満了を控えた時点において、照明ランプを消灯直後に交換する場合に、照明装置から照明ランプを取り外すために筐体に触れることとなるが、この際、筐体が冷却していないと、ユーザーが不快に感じる場合がある。また、筐体が高い温度を維持していると、ユーザーは照明ランプの取り替えにあたり、筐体に触れることができない。
【０００３】
そこで、ユーザーが照明ランプの筐体に触れても熱さを感じにくくするように構成した照明ランプが提案されている（たとえば、特許文献１参照）。特許文献１に記載の技術は、「装置本体３の熱伝導率よりも小さい熱伝導率を有し、装置本体３の一端側７ａにまたは装置本体３とグローブ５とに跨って設けられ、かつ装置本体３の最大外径部１６より外側に突出するように装置本体３の外周面７ｃに沿って設けられた環状体６」を有する照明ランプに関するものである。
【先行技術文献】
【特許文献】
【０００４】
【特許文献１】特開２０１１−２０４４４４号公報（たとえば、要約書参照）
【発明の概要】
【発明が解決しようとする課題】
【０００５】
特許文献１に記載の技術は、装置本体（筐体）よりも熱伝導率を小さくした環状体を有している照明ランプに関するものであるが、環状体はグローブと装置本体（筐体）との接続位置近傍に部分的に設置されているものである。このため、ユーザーの手指が、環状体を設置した領域を外れて高温の筐体に触れてしまい、不快感を与える可能性があったり、筐体の温度が高くて筐体に触れることができず、照明ランプの取り替えをすることができなかったりする。
また、環状体は装置本体（筐体）よりも熱伝導率を小さくしており、特に光源から発生する熱を放熱する効率を低下させてしまい、動作品質を低下させてしまうおそれがある。
【０００６】
本発明は、以上のような課題を解決するためになされたもので、照明ランプの交換時における利便性が向上する照明ランプ及びそれを備えた照明装置を提供することを目的としている。
【課題を解決するための手段】
【０００７】
本発明に係る照明ランプは、筒状の筐体と、筐体の一端側に接続される口金部と、筐体の他端側に設けられる光源と、筐体に収容され、口金部を経由して供給される商用電力を光源の駆動に利用される駆動電力に変換して光源に供給する点灯回路と、筐体の外側に設けられ、筐体の外周面積よりも面積が小さい握持部材と、を備えたものである。
【発明の効果】
【０００８】
本発明に係る照明ランプによれば、上記構成を有しているため、照明ランプの交換時などにおける利便性が向上する。
【図面の簡単な説明】
【０００９】
【図１】本発明の実施の形態１に係る照明ランプの概要構成例図である。
【図２】本発明の実施の形態１に係る照明ランプの断面図である。
【図３】図１に示す照明ランプの第１変形例である。
【図４】図１に示す照明ランプの第２変形例である。
【図５】本発明の実施の形態２に係る照明ランプの断面図である。
【図６】図５に示す照明ランプの変形例である。
【図７】実施の形態１、２に係る照明ランプが適用された照明装置の構成を示す断面図である。
【発明を実施するための形態】
【００１０】
実施の形態１．
はじめに、本実施の形態の説明に使用する図面について略述する。
図１は、実施の形態１に係る照明ランプ１００の概要構成例図である。図２は、実施の形態１に係る照明ランプ１００の断面図である。図２（ａ）は照明ランプ１００の筐体３ｃを通る部分における水平断面図である。また、図２（ｂ）は照明ランプ１００の縦断面図である。
【００１１】
本実施の形態に係る照明ランプ１００は、照明ランプ１００の交換時における利便性を向上させる改良が加えられたものである。照明ランプ１００は、光源１、グローブ２、筐体３、口金部４、及び点灯回路５を有する電球形の照明ランプである。
【００１２】
（光源１）
光源１は、発光手段であるＬＥＤ１０と、ＬＥＤ１０が実装されるＬＥＤ基板１１とを備えている。光源１の構成要素には、ＬＥＤ１０及びＬＥＤ基板１１のほか、点灯回路５と電気的に接続され駆動電力を点灯回路５から光源１に伝達するワイヤーハーネス及びコネクタなどの配線部材（図示せず）、及び照明ランプ１００の設計仕様に応じて必要となる電子部品などが含まれる。なお、本実施の形態１では、ＬＥＤ１０を採用する場合を例に説明するが、たとえば、レーザーダイオード、有機ＥＬ、及び蛍光ランプなどを採用してもよい。
【００１３】
光源１は、筐体３のうち口金部４が嵌合されている側とは反対側の端面に取り付けられているものである。そして、光源１は、光源１の出射面がグローブ２によって覆われている。ＬＥＤ基板１１及び後述する第２の筐体部３１の取付面部３１７には、ネジ９が挿入される開口７００及び開口７０１が形成されている。そして、ＬＥＤ基板１１は、後述する第１の筐体部３０の第１ボス部３０３及び第２ボス部３０４の開口に挿入され、筐体３にねじ込まれるネジ９によって固定される。なお、ＬＥＤ基板１１及び第２の筐体部３１に形成された開口７００及び開口７０１は、貫通孔であり、ネジ９がねじ込まれるネジ受けとして機能するものではなく、第１の筐体部３０の第１ボス部３０３及び第２ボス部３０４が、ネジ９がねじ込まれるネジ受けとして機能している。また、ＬＥＤ基板１１及び後述する第２の筐体部３１の取付面部３１７には、開口７００及び開口７０１に加えて、開口７０２が形成されている。この開口７０２は、点灯回路５より光源１に供給される駆動電力を伝送する配線などを、第２の筐体部３１側の空間からＬＥＤ基板１１側に取り出すのに利用されるものである。
【００１４】
（グローブ２）
グローブ２は、光源１から出射される光が透過する（透光性を有する）、たとえばガラス、樹脂などの素材で構成され、光源１から出射される光の出射側を覆うように配設されている。グローブ２を構成する樹脂としては、たとえばポリカーボネート、アクリルなどが製品仕様に応じて選択される。グローブ２は、図１の例では、外形が曲面形状でいわゆる下方向光束型である。グローブ２は、透光性を有し光源１から出射される光を透過させるとともに、照明ランプ１００の仕様に応じて、光を拡散、集光、反射させる機能を併せ持つ。これらの機能は、グローブ２の基材であるガラス又は樹脂を成形する際に拡散層（あるいは面）、レンズ、反射層（あるいは面）などを形成して基材自身で直接的に実現してもよいし、基材の表面にそれらの機能を実現する別部材を組み合わせて構成してもよい。
【００１５】
（口金部４）
口金部４は、一端が照明装置１５０（たとえば、図４を参照）のソケット１６０に螺合する構造を有しており、照明装置１５０を経由して商用電力を照明ランプ１００に入力する入力端である。商用電力は口金部４を介して点灯回路５に供給される。また、口金部４の他端は螺合構造を有しており、筐体３に螺合される。
【００１６】
（点灯回路５）
点灯回路５は、回路基板５００及び回路基板５００に取り付けられる回路部品５０１を有しているものである。なお、回路部品５０１は、たとえばスイッチング素子、インダクタ、電解コンデンサなどに対応するものである。点灯回路５は、商用電力である交流からＬＥＤ１０を点灯させる直流に変換するＡＣ−ＤＣコンバータ回路を有する。点灯回路５は、筐体３の内部に収容され、口金部４を経由して供給される商用電力を光源１の点灯に利用される駆動電力に変換して光源１に供給する。好ましくは、点灯回路５は、ＬＥＤ１０を安定的に点灯させるために、負荷変動の検出機能、負荷変動に応じてＡＣ−ＤＣコンバータ回路から出力される点灯電流を制御する制御機能、商用電力の供給経路を介して流入、流出するノイズを低減するフィルタ機能などをさらに有する。
【００１７】
（筐体３）
筐体３は円筒状をなし、内部に点灯回路５を収納する第１の筐体部３０と、第１の筐体部３０の外側に取り付けられる第２の筐体部３１とを備える。第１の筐体部３０は、絶縁性の素材で構成されるものである。第１の筐体部３０は、たとえば、ポリカーボネート、ポリブチレンテレフタレート、ポリエチレンテレフタレートなどの樹脂素材、セラミックなどから構成される。第２の筐体部３１は、熱伝導性の素材で構成されるものである。第２の筐体部３１は、たとえば、鉄、アルミニウムなどの金属素材、熱伝導フィラーなどを混合したセラミックなどから構成されるものである。第１の筐体部３０及び第２の筐体部３１を有する筐体３とグローブ２、さらに第１の筐体部３０に接続される口金部４とが組み合わさると、これらは全体として電球形照明ランプの外形をなす。
なお、本実施の形態１では、第１の筐体部３０が樹脂で構成され、第２の筐体部３１が金属で構成される場合を例に説明するが、それに限定されるものではなく、たとえば、第１の筐体部３０が金属で構成され、第２の筐体部３１が樹脂で構成されていてもよい。また、両方とも樹脂で構成してもよいし、両方とも金属で構成してもよい。
【００１８】
本実施の形態１における第１の筐体部３０は、第２の筐体部３１とは異なり、後述する第２のフィン部３１５に対応するフィン部を備えない点が異なる。
第１の筐体部３０は一端側に口金部４が接続される。第１の筐体部３０は、内部に点灯回路５を収容する空間を有するとともに、第１の筐体部３０の他端側に点灯回路５を第１の筐体部３０内に収容する際に利用される開口部９０が形成されている。第１の筐体部３０の内部には、点灯回路５が有する回路部品５０１の回路基板５００を保持する保持構造（図示省略）が形成されている。第１の筐体部３０の筒部３０６の内側面３００と、点灯回路５が具備する回路部品５０１との間には、保持構造によって保持される回路基板５００を除いて、予め設定された量の間隙が形成されている。つまり、回路部品５０１に機械的応力が加わらないように、第１の筐体部３０は、点灯回路５を第１の筐体部３０の内部空間に内包保持している。
【００１９】
第１の筐体部３０は、一端側に口金部４が螺合される螺合構造を略円筒状に形成された筒部３０６を有している。ここで、筒部３０６は略円筒状の他に角筒状に形成されていてもよい。また、筒部３０６と口金部４との接続は螺合以外の方法でもよい。
【００２０】
筒部３０６には、他端側に点灯回路５を第１の筐体部３０内に収容する際に利用される開口部９０が形成されている。開口部９０近傍の筒部３０６の内側面３００には、筒部３０６の中心軸方向に第１ボス部３０３及び第２ボス部３０４が形成されている。本実施の形態１では、筒部３０６の中心軸を挟んで、第１ボス部３０３と第２ボス部３０４とが対向するように形成されている。第１ボス部３０３及び第２ボス部３０４には、ネジ９がねじ込まれる孔が形成されており、ネジ受けとしての機能を有している。ネジ９が第１ボス部３０３及び第２ボス部３０４にねじ込まれることで第１の筐体部３０と第２の筐体部３１とが固定される。
【００２１】
第２の筐体部３１は、第１の筐体部３０の口金部４と螺合される一端側と反対側の所定部分を収容するように設けられている。第２の筐体部３１は、光源１が取り付けられる面が形成された平面状の取付面部３１７と、取付面部３１７側から第１の筐体部３０側に向かって延出するように形成された円筒状の筒部３１６と、筒部３１６の外側面３１４から筒部３１６の径方向の外側に向かって突出するように形成された第２のフィン部３１５とを有している。ここで、本実施の形態１において、取付面部３１７は円板状に形成されており、筒部３１６は円筒状に形成されているが、これらの形状に限定されるものではない。
【００２２】
筒部３１６は、その内側面３１３が第１の筐体部３０の筒部３０６の外側面３０１と当接するように設けられ、その外側面３１４から放射状に突出形成された複数の第２のフィン部３１５が形成されている。第２のフィン部３１５の数、放射方向の高さ、周方向の厚さは、照明ランプの設計仕様に応じて決定される。
【００２３】
（起毛部６）
図１を参照して、筐体３の外周面は、照明装置から照明ランプ１００を取り外すためにユーザーが手指を触れる握持部となる。本実施の形態１では、放射状に突出形成された複数の第２のフィン部３１５の外側面３１８が握持部として機能する。すなわち、握持部とは、筐体３の外側面のうちの第２のフィン部３１５の外側面３１８に対応するものである。起毛部６は、握持部材を構成するものである。この起毛部６は、握持部（外側面３１８）に設けられているものであり、筐体３の筒部３１６の外周面積よりも面積が小さいものである。
【００２４】
筒部３１６の外側面３１４と第２のフィン部３１５の外側面３１８との間には、放熱に伴う温度勾配（熱勾配）があり、第２のフィン部３１５の外側面３１８の温度は、筒部３１６の外側面３１４の温度よりも低くなっている。しかし触感温度としては高い水準である。
外側面３１８には、口金部４側の端部から光源１側の端部にかけて、触感温度を低減する起毛部６が配設されている。外側面３１８と起毛部６の外面（起毛の先端部）との間には、放熱に伴う温度勾配があり、起毛部６の外面（起毛の先端部）の温度は、第２のフィン部３１５の外側面３１８の温度よりも更に低い温度となる。すなわち、筐体の外周部（第２のフィン部３１５の外側面３１８）から起毛部６に向かうにしたがって温度が低くなるような熱勾配が形成されるということである。なお、放射状に形成された第２のフィン部３１５の外側面３１８に起毛部６が設けられているので、この温度勾配は、筐体３に対して略放射状となるように形成されることとなる。
また、起毛部６の外面（起毛の先端部）の面積は極小であり、手指と接触して手指に熱伝達が可能となる面積が小さい。すなわち、ユーザーの手指が、起毛部６及び筐体３の外周部である外側面３１８に触れたときにおいて、外側面３１８よりも起毛部６の方が接触面積が小さく、触感温度を低減することができる。
また、起毛部６が配設されると放熱面積が増加するので、照明ランプ１００を点灯動作させているときに、第２の筐体部３１の冷却（放熱）を促進させる効果も奏する。すなわち、光源１や点灯回路５の動作品質を向上させることができる。
【００２５】
ここで、起毛部６には、たとえば、静電植毛、植毛鋼板などを採用するとよい。静電植毛及び植毛鋼板とは、たとえばナイロン繊維などの繊維を、ある部材の表面に複数形成する加工を施すことをいう。このような静電植毛、植毛鋼板などを施すと、部材の表面を起毛させることができ、触感温度の低減、摩擦の増大、及び結露抑制などの効果を得ることができるものである。なお、本実施の形態１では、静電植毛、植毛鋼板を利用して起毛部６に起毛構造を具備させたものとして説明するが、起毛構造を備えるものであればよく、公知の手法を用いることができる。
【００２６】
起毛部６は、起毛していることによって、ユーザーの手指との摩擦が大きくなり、ユーザーが筐体３を握持した状態で照明ランプを交換する際に、滑ってしまうことを抑制する効果を有している。すなわち、ユーザーは照明ランプ１００の交換を確実に行うことができ、誤って照明ランプ１００を落下させてしまうことを防止することができる。
また、起毛部６が設けられた外側面３１８は、結露が生じにくくなっており、室内などに水滴が滴下してユーザーの快適性を損ねることを抑制することができる。
さらに、照明ランプ１００の起毛部６が設けられた外側面３１８以外の部分に、結露が生じた場合には、起毛部６が水分を吸収し保持するため、室内などに水滴が滴下したり、筐体３とグローブ２との接続部の隙間から照明ランプ１００内部に水分が浸入したりすることを抑制することができる。
【００２７】
［実施の形態１の第１変形例］
図３は、図１に示す照明ランプ１００の第１変形例（照明ランプ１００ａ）である。図３に示す照明ランプ１００ａは、照明ランプ１００のグローブ２及び筐体３とは形状が異なるグローブ２ａ及び筐体３ａを有するものである。
グローブ２ａは、図１に示すグローブ２とは異なり、略球状の形状をなしているものでいわゆる全方向光束型ある。また、筐体３ａの第１の筐体部３０ａ及び第２の筐体部３１ａは、筐体３よりも、口金部４側からグローブ２側にかけての寸法が短くなっている。このような照明ランプ１００ａでは、グローブ２ａと筐体３ａとの接続部近傍が、グローブ２ａの最大径よりも縮径しているため、ユーザーが握持しにくい形状となっている。このような照明ランプ１００ａであっても外側面３１８ａの口金部４側の端部から光源１側の端部にかけて、触感温度を低減する起毛部６ａが設けられているので、実施の形態１の照明ランプ１００と同様の効果を得ることができる。
【００２８】
［照明ランプ１００、１００ａが有する効果］
照明ランプ１００、１００ａは、第２の筐体部３１、３１ａの第２のフィン部３１５、３１５ａに起毛部６、６ａを設けたので、触感温度を抑制することができる。これにより、ユーザーに熱さを感じさせることを抑制することができるため、たとえば照明ランプ１００、１００ａを消灯直後に交換することができ、ユーザーの利便性が向上する。
【００２９】
本実施の形態１に係る照明ランプ１００、１００ａは、起毛部６、６ａが、第２の筐体部３１、３１ａの第２のフィン部３１５、３１５ａの外側面３１８、３１８ａのうち、口金部４側の端部側から光源１側の端部側にかけて全域に配設されている場合を例に説明したが、それに限定されるものではない。
たとえば、起毛部６、６ａは、部分的に配設されていても同様の効果を得ることができる。ただし、第２のフィン部３１５、３１５ａの外側面３１８、３１８ａの全域に配設されている方が、よりユーザーの触感温度を抑制することができる。
【００３０】
また、起毛部６、６ａは、第２の筐体部３１、３１ａの第２のフィン部３１５、３１５ａの外側面３１８、３１８ａの全てに設けられていなくてもよい。ただし、全ての第２のフィン部３１５、３１５ａに起毛部６、６ａが配設されている方が、よりユーザーの触感温度を抑制することができる。
【００３１】
本実施の形態１に係る照明ランプ１００、１００ａは、起毛部６、６ａが、第２の筐体部３１、３１ａの第２のフィン部３１５、３１５ａの外側面３１８、３１８ａに設けられている場合を例に説明したが、それに限定されるものではない。
たとえば、第２のフィン部３１５、３１５ａのうち外側面３１８、３１８ａに直交する面であって第２のフィン部３１５どうし、３１５ａどうしが対向する面などに起毛部６が設けられていてもよい。また、筒部３１６、３１６ａの外側面に起毛部６、６ａが設けられていてもよい。これによっても、本実施の形態１に係る照明ランプ１００、１００ａと同様の効果を得ることができる。
【００３２】
［実施の形態１の第２変形例］
図４は、図１に示す照明ランプ１００の第２変形例である。なお、図４は、図２（ａ）と同様に水平断面図である。図１及び図２に示す照明ランプ１００、１００ａは、いずれも第２の筐体部３１、３１ａに第２のフィン部３１５、３１５ａが形成され、第２のフィン部３１５、３１５ａの外側面３１８、３１８ａに起毛部６が形成されている。これらに対して、第２変形例は、第２筐体部３１ｂに第２のフィン部３１５、３１５ａを備えず、起毛部６が第２筐体部３１ｂの外側面３１４ｂに設けられている点で、異なるものである。このような、照明ランプ１００ｂであっても照明ランプ１００、１００ａと同様の効果を得ることができる。また、外側面３１４ｂはフィン部を備えず滑らかな面で形成されるため、起毛部６を形成しやすい。すなわち、量産性（組立性）を向上させることができる。なお、図４では、照明ランプ１００、１００ａの起毛部６、６ａと同様に、放射状に起毛部６ｂを配置した場合を例に図示したが、それに限定されるものではなく、第２筐体部３１ｂの筒部３１６の外側面３１４ｂの全体を覆うように起毛部６が設けられていてもよい。
【００３３】
［照明ランプ１００ｂが有する効果］
照明ランプ１００ｂは、照明ランプ１００、１００ａと同様の効果に加え、量産性（組立性）を向上させる。
【００３４】
実施の形態２．  
図５を参照して、実施の形態１との差異部分を中心に、実施の形態２の特徴を説明する。
【００３５】
（筐体３ｃ）
図５に示す筐体３ｃは円筒状をなし、内部に点灯回路５を収納する第１の筐体部３０ｃと、第１の筐体部３０ｃの外側に取り付けられる第２の筐体部３１ｃとを備える。第１の筐体部３０ｃは、絶縁性の素材で構成されるものである。第１の筐体部３０ｃは、たとえば、ポリカーボネート、ポリブチレンテレフタレート、ポリエチレンテレフタレートなどの樹脂素材、セラミックなどから構成される。第２の筐体部３１ｃは、熱伝導性の素材で構成されるものである。第２の筐体部３１ｃは、たとえば、鉄、アルミニウムなどの金属素材、熱伝導フィラーなどを混合したセラミックなどから構成されるものである。
【００３６】
第１の筐体部３０ｃは、一端側に口金部４が螺合される螺合構造を略円筒状に形成された筒部３０６ｃと、筒部３０６ｃの外側面３０１ｃから筒部３０６ｃの径方向の外側に向かって突出するように形成された複数の第１のフィン部３０５ｃとを有している。ここで、筒部３０６ｃは略円筒状の他に角筒状に形成されていてもよい。また、筒部３０６ｃと口金部４ｃとの接続は羅合以外の方法でもよい。
【００３７】
筒部３０６ｃは、その外側面３０１ｃが第２の筐体部３１ｃの筒部３１６ｃの内側面３１３ｃと当接するように設けられ、第１のフィン部３０５ｃは、その内側面３０２ｃが第２の筐体部３１ｃの筒部３１６ｃの外側面３１４ｃと当接するように設けられている。
【００３８】
第２の筐体部３１ｃは、第１の筐体部３０ｃの口金部４と螺合される一端側と反対側の所定部分を収容するように設けられている。第２の筐体部３１ｃは、光源１が取り付けられる面が形成された平面状の取付面部３１７ｃと、取付面部３１７ｃ側から第１の筐体部３０ｃ側に向かって延出するように形成された筒状の筒部３１６ｃと、筒部３１６ｃの外側面３１４ｃから筒部３１６ｃの径方向の外側に向かって突出するように形成された第２のフィン部３１５ｃとを有している。ここで、本実施の形態２において、取付面部３１７ｃは円板状に形成されており、筒部３１６ｃは略円筒状に形成されているが、これらの形状に限定されるものではない。
【００３９】
筒部３１６ｃは、その内側面３１３ｃが第１の筐体部３０ｃの筒部３０６ｃの外側面３０１ｃと当接するように設けられ、その外側面３１４ｃが第１の筐体部３０ｃの第１のフィン部３０５ｃの内側面３０２ｃと当接するように設けられている。
【００４０】
第２のフィン部３１５ｃは、筒部３０６ｃの外側面３０１ｃと第１のフィン部３０５ｃとの接続部側から、第２の筐体部３１ｃの取付面部３１７ｃ側にかけて形成されているものである。また、筐体３ｃには、第１の筐体部３０ｃの第１のフィン部３０５ｃと第２の筐体部３１ｃの第２のフィン部３１５ｃとが、筐体３ｃの外側面の周方向に交互に設けられている。すなわち、第２のフィン部３１５ｃは、第１の筐体部３０ｃの第１のフィン部３０５ｃの間に形成されている。
【００４１】
図５（ａ）に示すように、第１の筐体部３０ｃの第１のフィン部３０５ｃの外側端部における外径Ｒ１は、第２の筐体部３１ｃの第２のフィン部３１５ｃの外側端部における外径Ｒ２よりも大きくなっている。すなわち、樹脂材料で形成された第１の筐体部３０ｃの第１のフィン部３０５ｃは、金属材料で形成された第２の筐体部３１ｃの第２のフィン部３１５ｃよりも、筐体３ｃの径の中心からの距離が大きくなるように突出形成されている。一般に樹脂材料は金属材料よりも熱伝導度が小さいので、肌に触れた場合の触感温度が軽減できる。つまり、外径Ｒ１を外径Ｒ２よりも大きくすることで、ユーザーは第１の筐体部３０ｃに接触しやすくなり、照明ランプ１００ｃの筐体３ｃを握持した際の触感温度を低減することができる。
また、光源１側に第１の筐体部３０ｃの第１のフィン部３０５ｃが配設されているため、光源１の放熱は充分維持可能である。
なお、第１のフィン部３０５ｃ及び第２のフィン部３１５ｃの数、放射方向の高さ、周方向の厚さは、照明ランプの仕様に応じて設定する。また、握持部とは、第１のフィン部３０５ｃの外側面３０７ｃの部分に対応するものである。
【００４２】
［実施の形態２の変形例］
図６は、図５に示す照明ランプ１００ｃの変形例である。なお、図６は、図５（ａ）と同様に水平断面図である。実施の形態１で説明した起毛部６を、実施の形態２の照明ランプ１００ｃに適用してもよい。
第１のフィン部３０５ｄの外側面３０７ｄ及び／又は第２のフィン部３１５ｄの外側面３１８ｄに起毛部６ｄを設けて照明ランプ１００ｄとした場合に、照明ランプ１００ｄの筐体３ｄを握持した際の触感温度をより一層低減することができる。すなわち、第１のフィン部３０５ｄの外側面３０７ｄ及び第２のフィン部３１５ｄの外側面３１８ｄの少なくとも一方に起毛部６ｄを設けることで、照明ランプ１００ｄの筐体３ｄを握持した際の触感温度をより一層低減することができるということである。なお、図６では、第１のフィン部３０５ｄ及び第２のフィン部３１５ｄの両方に起毛部６ｄを設けた場合を例に図示している。
【００４３】
［照明ランプ１００ｃ、１００ｄが有する効果］
樹脂材料で形成された第１の筐体部３０ｃの第１のフィン部３０５ｃは、金属材料で形成された第２の筐体部３１ｃの第２のフィン部３１５ｃよりも、筐体３ｃの径の中心からの距離が大きくなるように突出形成されている。一般に樹脂材料は金属材料よりも熱伝導度が小さいので、肌に触れた場合の触感温度が軽減できる。つまり、ユーザーは第１の筐体部３０ｃに接触しやすくなり、照明ランプ１００ｃの筐体３ｃを握持した際の触感温度を低減することができる。
また、照明ランプ１００ｄは、照明ランプ１００ｃの第１のフィン部３０５ｃの外側面３０７ｃ及び／又は第２のフィン部３１５ｃの外側面３１８ｃに起毛部６ｄを配設したものであり、照明ランプ１００ｄの筐体３ｄを握持した際の触感温度をより一層低減することができる。
【００４４】
本実施の形態２に係る照明ランプ１００ｃ、１００ｄは、第１の筐体部３０ｃ、３０ｄの第１のフィン部３０５ｃ、３０５ｄ及び第２の筐体部３１ｃ、３１ｄの第２のフィン部３１５ｃ、３１５ｄを６つとしたが、それ以外の数であっても、同様の効果を得ることができる。
【００４５】
本実施の形態２に係る照明ランプ１００ｃ、１００ｄは、第１の筐体部３０ｃ、３０ｄの第１のフィン部３０５ｃ、３０５ｄと第２の筐体部３１ｃ、３０ｃの第２のフィン部３１５ｃ、３１５ｄとが交互に配設されているが、これに限定されるものではなく、たとえば第１の筐体部３０ｃ、３０ｄの第１のフィン部３０５ｃ、３０５ｄ、或いは第２の筐体部３１ｃ、３１ｄの第２のフィン部３１５ｃ、３１５ｄが連続して配設されても略同様の効果を得ることができる。
【００４６】
本実施の形態２に係る照明ランプ１００ｄは、起毛部６ｄが、第１の筐体部３０ｄの第１のフィン部３０５ｄの外側面３０７ｄ及び／又は第２の筐体部３１ｄの第２のフィン部３１５ｄの外側面３１８ｄのうち、口金部４ｄ側の端部側から光源１側の端部側にかけて全域に配設されている場合を例に説明したが、それに限定されるものではない。
たとえば、起毛部６ｄは、部分的に配設されていても同様の効果を得ることができる。ただし、第１のフィン部３０５ｄの外側面３０７ｄの全面及び／又は第２のフィン部３１５ｄの外側面３１８ｄの全面に設けられている方が、よりユーザーの触感温度を抑制することができる。
【００４７】
また、起毛部６ｄは、第１の筐体部３０ｄの第１のフィン部３０５ｄの外側面３０７ｄ及び／又は第２の筐体部３１ｄの第２のフィン部３１５ｄの外側面３１８ｄの全てに設けられていなくてもよい。ただし、全ての第１のフィン部３０５ｄ及び／又は第２のフィン部３１５ｄに起毛部６ｄが配設されている方が、よりユーザーの触感温度を抑制することができる。
【００４８】
本実施の形態２に係る照明ランプ１００ｄは、起毛部６ｄが、第１の筐体部３０ｄの第１のフィン部３０５ｄの外側面３０７ｄ及び／又は第２の筐体部３１ｄの第２のフィン部３１５ｄの外側面３１８ｄに設けられている場合を例に説明したが、それに限定されるものではない。
たとえば、第１のフィン部３０５ｄのうち外側面３０７ｄに直交する面であって第２のフィン部３１５ｄと対向する面、第２のフィン部３１５ｄのうち外側面３１８ｄに直交する面であって第１のフィン部３０５ｄと対向する面などに起毛部６ｄが設けられていてもよい。また、筒部３０６ｄ及び筒部３１６ｄの外側面に起毛部６ｄが設けられていてもよい。これによっても、本実施の形態２に係る照明ランプ１００ｃと同様の効果を得ることができる。
【００４９】
実施の形態３．
上記実施の形態１、２で示した照明ランプ１００乃至１００ｄは、この照明ランプの口金部に嵌合するソケット及び１つあるいは複数の照明ランプを収容する筐体と組み合わされて、照明装置を構成することができる。図７は、実施の形態１、２に係る照明ランプ１００〜１００ｄが適用された照明装置１５０の構成を示す断面図である。なお、図７では、実施の形態１に係る照明ランプ１００ｂが適用された場合を例に示している。
【００５０】
図７に示すように、照明装置１５０は、照明ランプ１００ｂを内包する器具本体１７０と、照明ランプ１００ｂの口金部４ｂ（図示省略）が取り付けられるソケット１６０と、器具本体１７０内に設けられ照明ランプ１００から出射される光を反射するリフレクタ１８０とを備える。
図７に例示する照明装置１５０は、天井１９０に形成された開口部に挿入され、天井１９０側から室内を照明する照明装置である。このような天井取り付け型の照明装置のほか、たとえば、壁に設置される照明装置、卓上に載置される照明装置などに、実施の形態１、２で示した他の照明ランプを適用することができる。
【符号の説明】
【００５１】
１  光源、２  グローブ、２ａ  グローブ、３  筐体、３ａ  筐体、３ｃ  筐体、３ｄ  筐体、４  口金部、４ｂ  口金部、４ｃ  口金部、４ｄ  口金部、５  点灯回路、６  起毛部、６ａ  起毛部、６ｃ  起毛部、６ｄ  起毛部、９  ネジ、１０  ＬＥＤ、１１  ＬＥＤ基板、３０  第１の筐体部、３０ａ  第１の筐体部、３０ｃ  第１の筐体部、３０ｄ  第１の筐体部、３１  第２の筐体部、３１ａ  第２の筐体部、３１ｂ  第２筐体部、３１ｃ  第２の筐体部、３１ｄ  第２の筐体部、９０  開口部、１００  照明ランプ、１００ａ  照明ランプ、１００ｂ  照明ランプ、１００ｃ  照明ランプ、１００ｄ  照明ランプ、１５０  照明装置、１６０  ソケット、１７０  器具本体、１８０  リフレクタ、１９０  天井、３００  内側面、３０１  外側面、３０１ｃ  外側面、３０２ｃ  内側面、３０３  第１ボス部、３０４  第２ボス部、３０５ｃ  第１のフィン部、３０５ｄ  第１のフィン部、３０６  筒部、３０６ｃ  筒部、３０６ｄ  筒部、３０７ｃ  外側面、３０７ｄ  外側面、３１３  内側面、３１３ｃ  内側面、３１４  外側面、３１４ｂ  外側面、３１４ｃ  外側面、３１５  第２のフィン部、３１５ｃ  第２のフィン部、３１５ｄ  第２のフィン部、３１６  筒部、３１６ｃ  筒部、３１６ｄ  筒部、３１７  取付面部、３１７ｃ  取付面部、３１８  外側面、３１８ａ  外側面、３１８ｃ  外側面、３１８ｄ  外側面、５００  回路基板、５０１  回路部品、７００  開口、７０１  開口、７０２  開口。
【図１】
2015015170.tif 000003
【図２】
2015015170.tif 000004
【図３】
2015015170.tif 000005
【図４】
2015015170.tif 000006
【図５】
2015015170.tif 000007
【図６】
2015015170.tif 000008
【図７】
2015015170.tif 000009